【手続補正書】
【提出日】平成18年4月7日(2006.4.7)
【手続補正１】
【補正対象書類名】明細書
【補正対象項目名】特許請求の範囲
【補正方法】変更
【補正の内容】
【特許請求の範囲】
【請求項１】  第１のユーザである本人が使用する本人装置と、
前記本人が信頼する第２のユーザである受益者が使用する受益者装置と、
前記受益者装置に対し電子通信チャンネルを介してサービス情報を提供する装置であるサービスプロバイダと、
前記電子通信チャンネルを介して前記サービスプロバイダおよび前記本人装置との間でデータの送受信を行うプロキシサーバと
を備え、
前記本人装置は、前記本人の個人情報を記憶する個人情報記憶手段を備え、
前記受益者装置は、前記サービスプロバイダに対し、前記受益者の識別情報である受益者ＩＤと、前記サービスプロバイダに対しいかなるサービス情報の提供を要求するかを示す情報である注文情報とを含むサービス注文要求を送信するサービス注文要求送信手段を備え、
前記サービスプロバイダは、前記受益者装置から前記サービス注文要求を受信するサービス注文要求受信手段と、前記プロキシサーバに対し前記サービス注文要求に含まれる前記受益者ＩＤおよび前記注文情報を含む取引要求を送信する取引要求送信手段とを備え、
前記プロキシサーバは、前記サービスプロバイダから前記取引要求を受信する取引要求受信手段と、前記本人装置に対し前記取引要求に含まれる前記受益者ＩＤおよび前記注文情報を含む許可要求を送信する許可要求送信手段とを備え、
前記本人装置は、前記プロキシサーバから前記許可要求を受信する許可要求受信手段と、前記受益者ＩＤにより識別される前記受益者に対し前記注文情報により識別されるサービス情報の提供を許可するか否かの判断を前記本人に促す通知を行う通知手段と、前記通知に対する前記本人の許可もしくは不許可を示す指示データを受け取る指示データ入力手段と、前記指示データ入力手段が許可を示す指示データを受け取った場合に前記個人情報記憶手段に記憶されている前記個人情報を含む許可応答を前記プロキシサーバに送信する許可応答送信手段とを備え、
前記プロキシサーバは、前記本人装置から前記許可応答を受信する許可応答受信手段と、前記サービスプロバイダに対し前記許可応答に含まれる前記個人情報を含む取引応答を送信する取引応答送信手段とを備え、
前記サービスプロバイダは、前記プロキシサーバから前記取引応答を受信する取引応答受信手段と、前記取引応答受信手段が前記取引応答を受信した場合に前記取引応答に含まれる前記個人情報に応じたサービス情報を含むサービス注文応答を生成するサービス注文応答生成手段と、前記受益者装置に対し前記サービス注文応答を送信するサービス注文応答送信手段とを備える
サービス情報提供システム。
【請求項２】  第１のユーザである本人が使用する本人装置と、
前記本人が信頼する第２のユーザである受益者が使用する受益者装置と、
前記受益者装置に対し電子通信チャンネルを介してサービス情報を提供する装置であるサービスプロバイダと、
電子通信チャンネルを介して前記サービスプロバイダおよび前記本人装置との間でデータの送受信を行うプロキシサーバと
を備え、
前記プロキシサーバは、前記本人の個人情報を記憶する個人情報記憶手段と、前記個人情報を前記サービスプロバイダに送信することの可否を決定するための条件を示すパラメータを記憶するパラメータ記憶手段を備え、
前記受益者装置は、前記サービスプロバイダに対し、前記受益者の識別情報である受益者ＩＤと、前記サービスプロバイダに対しいかなるサービス情報の提供を要求するかを示す情報である注文情報とを含むサービス注文要求を送信するサービス注文要求送信手段を備え、
前記サービスプロバイダは、前記受益者装置から前記サービス注文要求を受信するサービス注文要求受信手段と、前記プロキシサーバに対し前記サービス注文要求に含まれる前記受益者ＩＤおよび前記注文情報を含む取引要求を送信する取引要求送信手段とを備え、
前記プロキシサーバは、前記サービスプロバイダから前記取引要求を受信する取引要求受信手段と、前記受益者ＩＤにより識別される前記受益者に対し前記注文情報により識別されるサービス情報の提供が前記パラメータ記憶手段に記憶されている前記パラメータにより示される条件を充足するか否かを判定する判定手段と、前記判定手段が前記条件の充足を示す判定を行った場合に前記サービスプロバイダに対し前記個人情報記憶手段に記憶されている前記個人情報を含む取引応答を送信する取引応答送信手段と、前記判定手段が前記条件の充足を示す判定を行った場合に前記本人装置に対し前記取引要求に含まれる前記受益者ＩＤおよび前記注文情報を含む許可要求を送信する許可要求送信手段を備え、
前記サービスプロバイダは、前記プロキシサーバから前記取引応答を受信する取引応答受信手段と、前記取引応答受信手段が前記取引応答を受信した場合に前記取引応答に含まれる前記個人情報に応じたサービス情報を含むサービス注文応答を生成するサービス注文応答生成手段と、前記受益者装置に対し前記サービス注文応答を送信するサービス注文応答送信手段とを備える
サービス情報提供システム。
【請求項３】  第１のユーザである本人が使用する本人装置と、
前記本人が信頼する第２のユーザである受益者が使用する受益者装置と、
前記受益者装置に対し電子通信チャンネルを介してサービス情報を提供する装置であるサービスプロバイダと、
前記電子通信チャンネルを介して前記サービスプロバイダおよび前記本人装置との間でデータの送受信を行うプロキシサーバと
を備え、
前記プロキシサーバは、前記本人の個人情報を記憶する個人情報記憶手段を備え、
前記受益者装置は、前記サービスプロバイダに対し、前記受益者の識別情報である受益者ＩＤと、前記サービスプロバイダに対しいかなるサービス情報の提供を要求するかを示す情報である注文情報とを含むサービス注文要求を送信するサービス注文要求送信手段を備え、
前記サービスプロバイダは、前記受益者装置から前記サービス注文要求を受信するサービス注文要求受信手段と、前記プロキシサーバに対し前記サービス注文要求に含まれる前記受益者ＩＤおよび前記注文情報を含む取引要求を送信する取引要求送信手段とを備え、
前記プロキシサーバは、前記サービスプロバイダから前記取引要求を受信する取引要求受信手段と、前記本人装置に対し前記取引要求に含まれる前記受益者ＩＤおよび前記注文情報を含む許可要求を送信する許可要求送信手段とを備え、
前記本人装置は、前記プロキシサーバから前記許可要求を受信する許可要求受信手段と、前記受益者ＩＤにより識別される前記受益者に対し前記注文情報により識別されるサービス情報の提供を許可するか否かの判断を前記本人に促す通知を行う通知手段と、前記通知に対する前記本人の許可もしくは不許可を示す指示データを受け取る指示データ入力手段と、前記指示データ入力手段が許可を示す指示データを受け取った場合に前記個人情報の送信許可を示す許可応答を前記プロキシサーバに送信する許可応答送信手段とを備え、
前記プロキシサーバは、前記本人装置から前記許可応答を受信する許可応答受信手段と、前記許可応答受信手段が前記許可応答を受信した場合に前記サービスプロバイダに対し前記個人情報記憶手段に記憶されている前記個人情報を含む取引応答を送信する取引応答送信手段とを備え、
前記サービスプロバイダは、前記プロキシサーバから前記取引応答を受信する取引応答受信手段と、前記取引応答受信手段が前記取引応答を受信した場合に前記取引応答に含まれる前記個人情報に応じたサービス情報を含むサービス注文応答を生成するサービス注文応答生成手段と、前記受益者装置に対し前記サービス注文応答を送信するサービス注文応答送信手段とを備える
サービス情報提供システム。
【請求項４】  前記受益者装置は前記受益者のパスワードを受け取るパスワード入力手段を備え、
前記受益者装置の前記サービス注文要求送信手段は前記パスワード入力手段が受け取った前記受益者のパスワードを含む前記サービス注文要求を送信し、
前記サービスプロバイダの前記取引要求送信手段は前記受益者のパスワードを含む前記取引要求を送信し、
前記プロキシサーバの前記許可要求送信手段は前記受益者のパスワードを含む前記許可要求を送信し、
前記本人装置は前記許可要求に含まれる前記受益者ＩＤと前記受益者のパスワードとに基づき前記許可要求の正当性を認証する認証手段を備え、
前記本人装置の前記通知手段は前記認証手段により前記許可要求の正当性が認証された場合に前記通知を行う
請求項１または３に記載のサービス情報提供システム。
【請求項５】  前記受益者装置は前記受益者のパスワードを受け取るパスワード入力手段を備え、
前記受益者装置の前記サービス注文要求送信手段は前記パスワード入力手段が受け取った前記受益者のパスワードを含む前記サービス注文要求を送信し、
前記サービスプロバイダの前記取引要求送信手段は前記受益者のパスワードを含む前記取引要求を送信し、
前記プロキシサーバは、前記取引要求に含まれる前記受益者ＩＤと前記受益者のパスワードとに基づき前記取引要求の正当性を認証する認証手段を備え、
前記プロキシサーバの前記判定手段は、前記認証手段により前記取引要求の正当性が認証された場合に前記判定を行う
請求項２に記載のサービス情報提供システム。
【請求項６】  前記サービスプロバイダの前記取引要求送信手段は、前記サービスプロバイダの識別情報であるプロバイダＩＤを含む前記取引要求を送信し、
前記プロキシサーバの前記許可要求送信手段は、前記プロバイダＩＤを含む前記許可要求を送信し、
前記本人装置の前記通知手段は、前記受益者ＩＤにより識別される前記受益者に対し前記プロバイダＩＤにより識別される前記サービスプロバイダから前記注文情報により識別されるサービス情報の提供を許可するか否かの判断を前記本人に促す通知を行う
請求項１または３に記載のサービス情報提供システム。
【請求項７】  前記サービスプロバイダの前記取引要求送信手段は、前記サービスプロバイダの識別情報であるプロバイダＩＤを含む前記取引要求を送信し、
前記プロキシサーバの前記判定手段は、前記受益者ＩＤにより識別される前記受益者に対し前記プロバイダＩＤにより識別される前記サービスプロバイダから前記注文情報により識別されるサービス情報の提供が前記パラメータ記憶手段に記憶されている前記パラメータにより示される条件を充足するか否かを判定する
請求項２に記載のサービス情報提供システム。
【請求項８】  前記本人装置は、前記サービスプロバイダの公開鍵を記憶する公開鍵記憶手段と、前記サービスプロバイダの公開鍵を用いてデータを暗号化する暗号化手段を備え、前記許可応答送信手段は前記暗号化手段により前記サービスプロバイダの公開鍵で暗号化された前記個人情報を含む前記許可応答を送信し、
前記プロキシサーバの前記取引応答送信手段は、前記サービスプロバイダの公開鍵で暗号化された前記個人情報を含む前記取引応答を送信し、
前記サービスプロバイダは、前記サービスプロバイダの秘密鍵を記憶する秘密鍵記憶手段と、前記取引応答に含まれる前記個人情報を前記サービスプロバイダの秘密鍵で復号化する復号化手段を備える
請求項１に記載のサービス情報提供システム。